(57)【要約】【課題】園芸用結束機において、テープの逆行を防止する。【解決手段】園芸用結束機のテープマガジン21内のテープハブ支持ボス22にＣ型のガタ防止バネ23を装着し、ガタ防止バネの自由端近傍に形成したＵ型凸部25を外側へ突出させる。テープハブ支持ボスにテープロールを装着すると、ガタ防止バネのＵ形凸部がテープハブHの内周面に弾接してテープハブを外側へ押すことにより、テープハブの反対側の内周面がテープハブ支持ボス22の外周面に押し付けられてガタのない状態で支持され、振動などによるテープロールの逆回転を阻止できる。【選択図】図3
2005224197.tif 000002
【特許請求の範囲】
【請求項１】
ドライバハンドルとクリンチャアームとを相互に回動自在に連結したステープラ型の園芸用結束機であって、
ドライバハンドルにテープマガジンを備え、テープマガジンに装填したテープロールからテープを引出してドライバハンドルとクリンチャアームのそれぞれの先端部間に展張し、展張したテープを被結束物に掛けまわした後に、ドライバハンドルとクリンチャアームとを閉じてテープループの両端をステープルによって綴じる園芸用結束機において、
テープマガジン内のテープハブ支持ボスに、外側へ突出する凸部を形成し、凸部をテープハブの内周面へ接触させてテープハブ及びテープロールの逆回転を防止したことを特徴とする園芸用結束機。
【請求項２】
上記凸部をバネ材によって形成し、テープハブの内周面へ弾接させるように構成した請求項１記載の園芸用結束機。
【請求項３】
テープハブ支持ボス内に一端が固定され他端が自由端であるバネ部を設け、前記バネ部の自由端側に凸部を形成し、前記凸部をテープハブの内周面へ弾接させた請求項１記載の園芸用結束機。
【請求項４】
上記バネ部の基端部に対して自由端がテープロールの正回転方向の下流側に位置し、テープロールの正回転時におけるテープハブの摩擦により、前記自由端がテープハブ支持ボスの内側方向へ押圧されて制動力が低下するトレーリングブレーキ型構成とした請求項３記載の園芸用結束機。
【請求項５】
ドライバハンドルとクリンチャアームとを相互に回動自在に連結したステープラ型の園芸用結束機であって、クリンチャアームの先端部に回動自在なピッキングアーム及びピッキングアームを前後に移動するカム機構を含むテープ把持機構を備え、ドライバハンドルとクリンチャアームとを閉じることにより、前記ピッキングアームが前進及び後退し、前進時にテープを引出しつつテープ支えプレートへ圧接してテープを把持し、さらにドライバハンドルとクリンチャアームとを閉じることにより、ピッキングアームが後退して初期位置へ戻るように構成した園芸用結束機において、
前記ピッキングアームの頂部に上方へ突出するストッパー部を形成し、ドライバハンドルの先端部位に上下回動自在或いは昇降自在なストッパープレートを設け、ドライバハンドルとクリンチャアームを閉じてピッキングアームのロックが解除されたときに、前記ピッキングアームの尖端がテープに刺さるとともに前記ストッパー部が前記ストッパープレートに当たって回動途中で停止し、ドライバハンドルとクリンチャアームを開放したときにピッキングアームが回動端へ回動してテープを把持し、再度ドライバハンドルとクリンチャアームを閉じたときに、前記ストッパープレートがピッキングアームのストッパー部により押し上げられてピッキングアームが初期位置へもどるように構成したことを特徴とする園芸用結束機。
【発明の詳細な説明】
【技術分野】
【０００１】
この発明は、園芸用結束機に関するものであり、特に、作動の安定化を図った園芸用結束機に関するものである。
【背景技術】
【０００２】
胡瓜、メロン、葡萄やトマト等の農作物栽培において、これらの植物の蔓や枝を支柱や棚に沿わせるための結束作業に園芸用結束機が用いられている。図12に示すように、園芸用結束機1はドライバハンドル2とクリンチャアーム3と下ハンドル4を組合わせた手持ち工具であり、クリンチャアーム3に取付けた下ハンドル4の先端がドライバハンドル2に係合しており、ドライバハンドル2と下ハンドル4を握って閉じれば下ハンドル4の梃子作用によってドライバハンドル2とクリンチャアーム3とが閉じる。
【０００３】
ドライバハンドル2の後部にはテープマガジン5が取付けられており、テープマガジン5に装填したテープはドライバハンドル2内を通ってステープルマガジン6の先端のテープガイド7から下方へ引出される。ドライバハンドル2には一般のステープラと同様にステープルマガジン6が一定角度回動自在に組み付けられており、ドライバハンドル2と下ハンドル4を閉じればドライバハンドル2の先端部に設けた板状のドライバ（図示せず）がステープルマガジン6内の先頭のステープルをクリンチャ8に向けて射出し、クリンチャ8によりステープルの脚部が折り曲げられる。
【０００４】
クリンチャアーム3の先端部には、カム機構を作動させるためのプッシュプレート9と、テープを捕捉するためのピッキングアーム10、図示しない固定カム板とバネとからなるテープ把持装置が組み込まれており、ドライバハンドル2とクリンチャアーム3を閉じると、クリンチャアーム3の先端から上方へ突出しているプッシュプレート9が下側へ押し込まれ、プッシュプレート9に形成した溝カムが移動することによりピッキングアーム10の固定が解除され、ピッキングアーム10がバネの力によって手前側（図12において右）へ回動し、ステープルマガジン6の先端のテープガイド7から下方へ垂れているテープに突き刺さり、テープ支えプレート11に圧接してテープを把持する。
【０００５】
この後に、ドライバハンドル2とクリンチャアーム3を開けば、テープがドライバハンドル2側から引出されてドライバハンドル2とクリンチャアーム3との間に展張され、この状態で結束対象である支柱と農作物の枝や蔓をドライバハンドル2とクリンチャアーム3との間に入れ、ドライバハンドル2とクリンチャアーム3を閉じれば支柱と農作物との周りにテープが掛け回される。
【０００６】
そして、ドライバハンドル2とクリンチャアーム3を閉じることにより、テープループの重なり部分がステープルマガジン6とクリンチャ8とによって上下から挟まれるとともに、プッシュプレート9が再度下側へ押し込まれて、プッシュプレート9と固定カム板からなるカム機構によりピッキングアーム10が初期位置へ戻され、テープループの重なり部分がステープルによって綴じられるとともに、ドライバハンドル2の先端部に設けたカッター刃12によってドライバハンドル2側のテープからテープループが切断される。
【０００７】
以上が従来公知の園芸用結束機の構成であるが、この種の園芸用結束機における問題のひとつに、作業時の園芸用結束機の姿勢変化や振動によりテープマガジン内のテープロールが逆回転してテープの先端が引き戻されることがあるということが挙げられる。この場合、ドライバハンドル2とクリンチャアーム3を閉じたときに、クリンチャアーム側のテープ把持装置がドライバハンドル側のテープの先端を捕捉できないことになり、作業を中断
してテープをセットし直さなければならず、作業能率を低下させる原因となる。
【０００８】
また、他の問題として、テープ把持装置のピッキングアームがテープを突き刺すときにテープが破断してしまってテープの先端を捕捉することができないことがある。園芸用結束機に使用するテープは、光分解型樹脂や焼却可能な低公害性樹脂などが用いられ、この種のテープは、破断強度が比較的弱く、特に、低温下でテープの柔軟性が低下しているときに破断が生じやすいものである。
【０００９】
そこで、本願出願人は、テープの逆行を防止するための技術として、ドライバハンドル内のテープ通路に板バネを配置し、板バネの先端でテープをテープ通路の天井面に押さえつけることにより、テープに走行抵抗を与えてテープの逆行を防止した園芸用結束機のテープガイド装置を提案している（特許文献１）。
【００１０】
また、ピッキングアームがテープを破断することを防止する技術として、ピッキングアームの上面に凸状のストッパー部を形成し、ピッキングアームがテープへ突き刺さるときにストッパー部がドライバハンドル側のテープガイドに当たるように構成し、ピッキングアームの回動ストロークを制限することにより、テープが破断することを防止した園芸用結束機を既に提案している（特許文献２）。この構成においては、ドライバハンドルとクリンチャアームとを閉じてピッキングアームがテープへ突き刺さった後に、ドライバハンドルとクリンチャアームを開くと、ピッキングアームの前面からテープガイドが退避することにより、ピッキングアームがさらに回動してテープ支えプレートに圧接し、従来の園芸用結束機と同様にピッキングアームがテープをテープ支えプレートへ押し付けてテープが把持される。
【特許文献１】特開2003-20005号公報
【特許文献２】特開2003-23881号公報
【発明の開示】
【発明が解決しようとする課題】
【００１１】
園芸用結束機に装填したテープが逆行することによりピッキングアームがテープ捕捉不能となる不都合を解消する手段として、特許文献１記載の技術は一定の効果があるが、園芸用結束機を振り回したり、急激に姿勢を回転したりして、テープリールに著しく大きい回転モーメントが加わった場合は、特許文献１記載の板バネによる制動手段ではテープの逆行を制動しきれないことがある。
【００１２】
また、特許文献２記載の技術は、ピッキングアームがテープへ突き刺さるときの回動ストロークを制限し、先ずピッキングアームの尖端がテープへわずかに突き刺さり、その後にハンドルを開放したときにピッキングアームが前進端へ回動してテープを挟むように構成してテープの破断を防止しているが、ピッキングアームの頭部に形成したストッパー部の上面と、ストッパー部が衝突するテープガイドとの位置関係や、テープ把持装置のプッシュレバーやクリンチャなどの組付けに高い精度が要求される。これらの部品精度や組付け精度が悪化した場合はピッキングアームの前後往復行程、特に戻り行程に支障を来たすことになる。
【００１３】
つまり、ドライバがクリンチャへ向けてステープルを射出する際は、ピッキングアームが初期位置へ戻ってドライバの下降経路から退避しなければならないが、外的衝撃による変形や使用に伴う機構部の経時変化により各部品の組付け精度が悪化して、ピッキングアームの戻り行程においてその頂部がドライバハンドル側のテープガイドの下端面に接触するようになると、ピッキングアームが戻り行程の途中で停止してドライバハンドルとクリンチャアームを閉じることができなくなったり、ステープル射出のタイミングがずれてステープリングが不完全となったりする不都合が生じる虞がある。
【００１４】
そこで、本発明は、テープの逆行阻止性能を向上させて、テープ捕捉不能となる虞を解消することを第一の目的とし、また、ピッキングアームの前後往復動作の安定性を改善して、結束不良の虞を解消することを第二の目的とするものである。
【課題を解決するための手段】
【００１５】
この発明は、上記目的を達成するために提案するものであり、ドライバハンドルとクリンチャアームとを相互に回動自在に連結したステープラ型の園芸用結束機であって、ドライバハンドルにテープマガジンを備え、テープマガジンに装填したテープロールからテープを引出してドライバハンドルとクリンチャアームのそれぞれの先端部間に展張し、展張したテープを被結束物に掛けまわした後に、ドライバハンドルとクリンチャアームとを閉じてテープループの両端をステープルによって綴じる園芸用結束機において、テープマガジン内のテープハブ支持ボスに、外側へ突出する凸部を形成し、凸部をテープハブの内周面へ接触させてテープハブ及びテープロールの逆回転を防止したことを特徴とする園芸用結束機を提供するものである。
【００１６】
また、上記凸部をバネ材によって形成し、テープハブの内周面へ弾接させるように構成した園芸用結束機を提供するものである。
【００１７】
また、テープハブ支持ボス内に一端が固定され他端が自由端であるバネ部を設け、前記バネ部の自由端側に凸部を形成し、前記凸部をテープハブの内周面へ弾接させた園芸用結束機を提供するものである。
【００１８】
また、上記バネ部の基端部に対して自由端がテープロールの正回転方向の下流側に位置し、テープロールの正回転時におけるテープハブの摩擦により、前記自由端がテープハブ支持ボスの内側方向へ押圧されて制動力が低下するトレーリングブレーキ型構成とした園芸用結束機を提供するものである。
【００１９】
また、ドライバハンドルとクリンチャアームとを相互に回動自在に連結したステープラ型の園芸用結束機であって、クリンチャアームの先端部に回動自在なピッキングアーム及びピッキングアームを前後に移動するカム機構を含むテープ把持機構を備え、ドライバハンドルとクリンチャアームとを閉じることにより、前記ピッキングアームが前進及び後退し、前進時にテープを引出しつつテープ支えプレートへ圧接してテープを把持し、さらにドライバハンドルとクリンチャアームとを閉じることにより、ピッキングアームが後退して初期位置へ戻るように構成した園芸用結束機において、前記ピッキングアームの頂部に上方へ突出するストッパー部を形成し、ドライバハンドルの先端部位に上下回動自在或いは昇降自在なストッパープレートを設け、ドライバハンドルとクリンチャアームを閉じてピッキングアームのロックが解除されたときに、前記ピッキングアームの尖端がテープに刺さるとともに前記ストッパー部が前記ストッパープレートに当たって回動途中で停止し、ドライバハンドルとクリンチャアームを開放したときにピッキングアームが回動端へ回動してテープを把持し、再度ドライバハンドルとクリンチャアームを閉じたときに、前記ストッパープレートがピッキングアームのストッパー部により押し上げられてピッキングアームが初期位置へもどるように構成したことを特徴とする園芸用結束機を提供するものである。
【発明の効果】
【００２０】
本発明の園芸用結束機は、テープマガジン内のテープハブ支持ボスに、外側へ突出する凸部を形成し、凸部をテープハブの内周面へ接触させたので、振動や衝撃によりテープマガジン内のテープロールが逆回転することが抑止され、逆回転によりテープの先端がドライバハンドル内へ引き戻されて結束作業に支障をきたす虞が解消される。
【００２１】
また、クリンチャアームの先端部に配置されたテープ把持機構のピッキングアームの頂部に凸状のストッパー部を設け、ドライバハンドルの先端部位に上下回動自在或いは昇降自在なストッパープレートを設け、ピッキングアームのテープ把持動作時にストッパー部がストッパープレートに当って回動途中で停止するように構成し、ピッキングアームがテープへ突き刺さるときのストロークを制限したのでテープが破断する虞が低下する。また、テープ把持後の結束操作時にドライバハンドルとクリンチャアームを閉じれば、ピッキングアームのストッパー部によってストッパープレートが押し上げられて、ピッキングアームが初期位置へ戻ることができ、ピッキングアームの戻り動作が安定化する。
【発明を実施するための最良の形態】
【００２２】
本発明の園芸用結束機は、テープマガジン内のテープハブ支持ボスに、外側へ突出する凸部を形成し、凸部をテープハブの内周面へ接触させてテープハブ及びテープロールのガタツキを抑えることにより、テープハブ及びテープロールの逆回転を防止するという目的を達成した。
【００２３】
また、クリンチャアームの先端部に配置されたテープ把持機構のピッキングアームの頂部に凸状のストッパー部を設け、ドライバハンドルの先端部位に上下回動自在或いは昇降自在なストッパープレートを設け、ピッキングアームのテープ把持動作時にストッパー部がストッパープレートに当って回動途中で停止するようにしてテープの破断を防止した。また、テープ把持後の結束操作時にドライバハンドルとクリンチャアームを閉じれば、ピッキングアームのストッパー部によってストッパープレートが押し上げられるように構成してピッキングアームの前後往復動作の円滑化と安定化という目的を達成した。
【実施例１】
【００２４】
図1は、園芸用結束機のドライバハンドルの後部に配置されるテープマガジン21を示し、園芸用結束機全体の形状は、図12の従来型と同一である。図2は図1のA-A線断面図であり、図3及び図4はそれぞれテープハブH（テープロールの巻き芯）を装着した状態を示している。
【００２５】
図1はテープマガジン21から開閉式のトップカバーを省略した図であり、テープマガジン21はテープロールの形状に合わせた有底円筒形で中央のテープハブ支持ボス22にテープロールのテープハブが装着される。テープハブ支持ボス22の内部にはバネ線材をほぼＣ型に折曲げ加工したガタ防止バネ23が装着されている。ガタ防止バネ23の基端部は、テープハブ支持ボス22内の三箇所のバネ受けボス24に合わせた屈曲形状に加工してバネ受けボス24に係止し、自由端側には放射方向へ突出するＵ形凸部25を形成して、テープハブ支持ボス22に形成した溝26からＵ形凸部25を外側へ突出させている。尚、図2及び図4において27はトップカバーである。
【００２６】
図2に示すように、Ｕ形凸部25の側面形状はテープロールの装填の円滑化を図って山型に曲げてあり、テープマガジン21へテープロールを装填すると、図3及び図4に示すように、ガタ防止バネ23のＵ形凸部25がテープハブHの内周面に弾接してテープハブHを外側へ押すことにより、テープハブHの反対側の内周面がテープハブ支持ボス22の外周面に押し付けられてガタのない状態で支持される。
【００２７】
Ｃ型のガタ防止バネ23は、基端部に対して自由端がテープロールの正回転方向（図1及び図3において時計方向）の下流側に位置し、テープロールが正回転するときにはテープハブHの摩擦により自由端がテープハブ支持ボスの内側方向へ押圧されるトレーリングブレーキ型の配置としているので、テープロールが正回転する際は、Ｕ形凸部25がテープハブHに摩擦されてガタ防止バネ23がテープハブ支持ボス22の中心方向へ撓み、テープロー
ルに殆ど回転抵抗を与えない。また、テープロールが逆回転しようとするとテープハブHの内周面との摩擦力によりＵ形凸部25がテープハブHの内周面に圧接して強い制動力を与える。したがって、園芸用結束機の姿勢変化によってテープロールに逆回転方向の回転力が加わったときに、テープロールが制動されてテープの逆行を防止できる。
【００２８】
以上は、バネ線材によってテープロールの制動手段を構成した例を説明したが、イタバネを用いてもよく、また、ボスから外側へ突出する凸部を一体成形して制動手段としてもよく、要するに、テープハブの内周面に弾接して逆回転を阻止するものであればよい。
【実施例２】
【００２９】
次に、ピッキングアームの前後往復動作の安定化を図る実施例を説明する。図5乃至図11は、園芸用結束機のドライバハンドル31とクリンチャアーム32の前部を示し、ドライバハンドル31の前端部に上下へ回動するストッパープレート33を設けたことが特徴である。ストッパープレート33は、一端に軸穴が形成されていて、ピンによりドライバハンドル31の前端板34とその前面を覆う前面カバー35との間に上下回動自在に取り付けられており、捩じりコイルバネ36によって図5(a)に示す水平位置に保持されて、クリンチャアーム32側のピッキングアーム37の通路となる部分を遮断しているが、下から上へ押されれば上方へ回動してピッキングアーム37の通路から退避する。
【００３０】
その他の構成は従来型と同様であり、ドライバハンドル31の前端板34の直後（図において右）にステープルマガジン38の前端に設けた二枚のプレート部で構成されるテープガイド39が位置し、テープガイド39の後方にはドライバハンドル31に取り付けたカッター刃40が位置し、カッター刃40の後方にドライバ41が位置している。テープTはテープマガジン（図示せず）からドライバハンドル31上に取り付けたハンドルカバー42内を通じてテープガイド39へ通される。
【００３１】
クリンチャアーム32の前部内のテープ把持装置は、図5(a)に示す固定カム板43とプッシュプレート44とピッキングアーム37、及び(b)に示す圧縮コイルバネ45、ピッキングアーム37に介装した捩じりコイルバネ（図示せず）によって構成され、固定カム板43とプッシュプレート44には溝カムが形成されていて、圧縮コイルバネ45が介装されているプッシュプレート44を押下げることによって、固定カム板43の溝カムとプッシュプレート44の溝カムの協働作用により、ピッキングアーム37が前進及び後退する。即ち、プッシュプレート44を一段階押下げると、ピッキングアーム37のロックが解除されて、ピッキングアーム37が捩じりコイルバネのバネ力によって手前側のテープ支えプレート46に向かって回動する。また、プッシュプレート44をさらに押下げると、溝カムの協働作用によってピッキングアーム37は初期位置へ戻され、初期位置でロックされる。ピッキングアーム37は、楔型に尖っている先端部の後方に上方へ立ち上がったストッパー部37aが形成されていて、後述するテープピッキング動作時にストッパー部37aがストッパープレート33へ当たって回動角度が制限されるようにしている。
【００３２】
続いて、園芸用結束機の動作を説明する。図5は初期状態を示し、この状態からドライバハンドル31とクリンチャアーム32を閉じていくと、図6に示すようにドライバハンドル31の前端板34がテープ把持装置のプッシュプレート44に接する。
【００３３】
さらにドライバハンドル31とクリンチャアーム32を閉じることによりドライバハンドル31の前端板34によってプッシュプレート44が押下げられ、図7に示すように初期位置にあるピッキングアーム37のロックが解除されてピッキングアーム37が手前側へ回動し、先端部がテープTに突き刺さるが、ピッキングアーム37のストッパー部37aがドライバハンドル31側のストッパープレート33に当たって回動を停止する。このように、ピッキングアーム37がテープ支えプレート46に当たるまで一気に回動しないようにすることにより、テープ
の破断を防止している。
【００３４】
次に、図8に示すようにドライバハンド31ルとクリンチャアーム32を開くと、ストッパープレート33がピッキングアーム37のストッパー部37aから外れて、ピッキングアーム37がテープTを引っ張りつつテープ支えプレート46に当たるまで回動し、ピッキングアーム37とテープ支えプレート46によってテープTの先端部を挟み込む。
【００３５】
そして、図9に示すようにドライバハンドル31とクリンチャアーム32をさらに開いていくと、テープTがドライバハンドル31側から引出されてドライバハンドル31とクリンチャアーム32との間に展張される。この状態から結束対象である支柱Sと枝BなどをテープTで包み込むように園芸用結束機を前方へ突き出し、図10に示すようにドライバハンドル31とクリンチャアーム32を閉じると、テープTの先端部近傍とテープループの終端部とがクリンチャ47とステープルマガジン38とによって挟まれるとともに、ドライバハンドル31の前端板34がプッシュプレート44に接し、回動式のストッパープレート33はピッキングアーム37のストッパー部37aの上面に接して上方へ押し上げられる。
【００３６】
そして、さらにドライバハンドル31とクリンチャアーム32を閉じると、ドライバハンドル31の前端板34がプッシュプレート44を押下げて、前述したようにピッキングアーム37が初期位置へ戻されるが、このときストッパープレート33は上方へ押し上げられていて、ピッキングアーム37の戻り動作を阻害しないので、ピッキングアーム37は円滑且つ確実に初期位置へ復帰する。これと同時にドライバハンドル31のドライバ41によりステープルマガジン38内のステープルがクリンチャ47へ向けて射出され、テープループをステープルによって綴じるとともに、カッター刃40がテープループを後続のテープから切断して1サイクルの結束動作が完了する。
【００３７】
尚、上記実施例は、上下回動式のストッパープレートについて説明したが、上下スライド式のストッパープレートであってもよい。要はドライバハンドルとクリンチャアームとの間にテープが張られた状態からドライバハンドルとクリンチャアームを閉じたときに、ピッキングアームの上面に押されて上方へ移動し、ピッキングアームの回動経路から退避するものであればよい。
【００３８】
また、この発明は上記の実施形態に限定するものではなく、この発明の技術的範囲内において種々の改変が可能であり、この発明がそれらの改変されたものに及ぶことは当然である。
【図面の簡単な説明】
【００３９】
【図１】園芸用結束機のテープマガジン部分の側面図。
【図２】図1のA-A線断面図。
【図３】テープハブを装着した状態を示すテープマガジン部分の側面図。
【図４】図3のA-A線断面図。
【図５】園芸用結束機の前部を示し、(a)は側面断面図、(b)は正面断面図である。
【図６】園芸用結束機の動作行程を示す前部の断面図であり、(a)は側面断面図、(b)は正面断面図である。
【図７】園芸用結束機の動作行程を示す前部の断面図であり、(a)は側面断面図、(b)は正面断面図である。
【図８】園芸用結束機の動作行程を示す前部の断面図であり、(a)は側面断面図、(b)は正面断面図である。
【図９】園芸用結束機の動作行程を示す前部の側面断面図である。
【図１０】園芸用結束機の動作行程を示す前部の断面図であり、(a)は側面断面図、(b)は正面断面図である。
【図１１】園芸用結束機の動作行程を示す前部の断面図であり、(a)は側面断面図、(b)は正面断面図である。
【図１２】従来例を示し、園芸用結束機の側面図である。
【符号の説明】
【００４０】
21     テープマガジン
22     テープハブ支持ボス
23     ガタ防止バネ
24     バネ受けボス
25     U形凸部
26     溝
31     ドライバハンドル
32     クリンチャアーム
33     ストッパープレート
34     前端板
35     前面カバー
36     捩じりコイルバネ
37     ピッキングアーム
37a    ストッパー部
38     ステープルマガジン
39     テープガイド
40     カッター刃
41     ドライバ
42     ハンドルカバー
43     固定カム板
44     プッシュプレート
45     圧縮コイルバネ
46     テープ支えプレート
47     クリンチャ
【図１】
2005224197.tif 000003
【図２】
2005224197.tif 000004
【図３】
2005224197.tif 000005
【図４】
2005224197.tif 000006
【図５】
2005224197.tif 000007
【図６】
2005224197.tif 000008
【図７】
2005224197.tif 000009
【図８】
2005224197.tif 000010
【図９】
2005224197.tif 000011
【図１０】
2005224197.tif 000012
【図１１】
2005224197.tif 000013
【図１２】
2005224197.tif 000014